(57)【要約】【課題】簡易な使用方法で任意のサイズの被締結具の締緩に対応できる汎用性をもつレンチを提供する。【解決手段】外形が角形形状の被締結具の締緩に用いるレンチにおいて、前記被締結具を受容れる開口を備えた支持盤と、前記支持盤の開口に臨む前記被締結具の切り立った少なくとも２つの側面に宛がう少なくとも２個のレンチ駒と、を有し、前記レンチ駒は、前記支持盤の開口の周方向に添って配置され、支点を中心として前記開口の周方向で開閉するものである。そして、前記複数のレンチ駒を相互に同期して前記開口の周方向で開閉させて前記被締結具の側面に密着・離間させる。【選択図】図１
2015127083.tif 000002
【特許請求の範囲】
【請求項１】
外形が角形形状の被締結具の締緩に用いるレンチにおいて、
前記被締結具を受容れる開口を備えた支持盤と、
前記支持盤の開口に臨む前記被締結具の切り立った少なくとも２つの側面に宛がう少なくとも２個のレンチ駒と、を有し、
前記レンチ駒は、前記支持盤の開口の周方向に添って配置され、支点を中心として前記開口の周方向で開閉するものであることを特徴とするレンチ。
【請求項２】
前記複数のレンチ駒は、相互に同期して前記側面のそれぞれに対して前記開口の周方向で密着・離間するものであることを特徴とする請求項１に記載のレンチ。
【請求項３】
前記複数のレンチ駒は、開閉角度を一律にして相互に同期していることを特徴とする請求項２に記載のレンチ。
【請求項４】
前記複数のレンチ駒は、前記被締結具の高さ方向にずらして配置しており、前記複数のレンチ駒は、前記被締結具の側面に異なる高さ位置に宛がうものであることを特徴とする請求項１に記載のレンチ。
【請求項５】
前記複数のレンチ駒は、前記被締結具の高さ方向にずれて重なる一方のレンチ駒に突起を設け、他方のレンチ駒に前記突起を受容れるスロットを設けたことを特徴とする請求項４に記載のレンチ。
【請求項６】
前記レンチ駒の突起は、前記開閉の支点より前記レンチ駒の先端側にずれた位置に設けたものであることを特徴とする請求項５に記載のレンチ。
【請求項７】
前記開口は、最大サイズの前記被締結具を受容れる口径をもつものであることを特徴とする請求項１に記載のレンチ。
【発明の詳細な説明】
【技術分野】
【０００１】
本発明は、ボルト或いはナットなどの被締結具の締緩に用いるレンチであり、特に異なるサイズの被締結具の締緩に応用可能なレンチに関する。
【背景技術】
【０００２】
例えば、鉄塔などにアンテナ等を取り付ける作業では、異なるサイズの被締結具であるボルト或いはナットなどが用いられている。アンテナなどの取り付け作業は一般的に屋外、且つ高所作業であり、作業員が鉄塔などに組み上げられた足場の上などで、逐次ボルト或いはナットをレンチで締め付ける作業が行われている。
【０００３】
作業が屋外、且つ高所で行われる場合、レンチなど工具の落下は非常に大きな危険を伴う。仮に、落下した工具が、地上にいる他の作業員に当たった場合、人命に関わる恐れもある。そのため、高所においては可能な限り工具の持ち替えなどの頻度を少なくする必要があり、異なるサイズのボルト或いはナットを締め付ける際に、１本で任意のサイズのボルト或いはナットに対応できるフリーサイズのレンチ（以下、フリーサイズレンチ）が用いられている。
【０００４】
前記フリーサイズレンチとしては特許文献１に開示されたような構造のものが開発されている。特許文献１に開示されたフリーサイズレンチは、ラチェット車と戻り止用の爪で構成されたラチェット機構をハンドル本体の端部に備えるラチェットレンチを対象とするものであり、前記ラチェット車の他端面に貫通した第１収容室に収容され、軸中心が同心円状に前記第１収容室に配置される複数の第１セル棒と、前記第１収容室の内部に移動可能に配置される第１セル案内板と、前記第１収容室を前記ラチェット車の他端面側から覆う第１セル係止板と、を備えた構造のものである。
【０００５】
そして、前記第１収容室は、前記ラチェット車の一端面側に開口し、大きな口幅を有するボルトの頭部又はナットに嵌合可能な正六角柱状の嵌合口と、この嵌合口に連通して当該嵌合口に外接するように、前記ラチェット車の他端面側に貫通する円形開口と、を有している。さらに、前記第１セル棒は、隣接する複数の前記第１セル棒の少なくともいずれかに当接して、前記嵌合口の周方向又は遠心方向には移動が困難に配置された円柱状の第１頭部と、この第１頭部から段差となって縮径した第１軸部と、この第１軸部の末端に形成され、前記第１軸部より拡径した第１戻り止部と、を有している。前記第１セル案内板は、前記第１軸部がスライド可能に嵌合する第１係合穴と、この第１係合穴の周囲に前記第１頭部が当接して、当該第１セル案内板を一方向に移動可能な第１平坦面と、を有している。さらに、前記第１セル係止板は、前記第１軸部にスライド可能に嵌合する第２係合穴と、この第２係合穴の周囲に前記第１戻り止部が当接して、当該第１セル棒の他方向への移動を規制する第２平坦面と、を有している。
【先行技術文献】
【特許文献】
【０００６】
【特許文献１】特開２０１２−９１２５０号公報
【発明の概要】
【発明が解決しようとする課題】
【０００７】
特許文献１に開示されたフリーサイズレンチは、複数のセル棒を六角形状のボルト或いはナットのサイズに応じて抜き差しして、前記複数のセル棒を六角形のボルト或いはナットに半径方向から宛がっている構造である。前記ボルト或いは前記ナットの多くは、そのサイズがＩＳＯなどの国際規格に準拠するよう世界的にサイズの統一が図られているが、これら統一された規格以外にも、各国で用いられている単位に基づいた独自の規格のボルト或いはナットなども存在している。
【０００８】
そのため、特許文献１に開示されたフリーサイズレンチは、任意のサイズのボルト或いはナットに使用可能であるものの、使用できる単位は前記セル棒のサイズ及び数などに依存し、例えば、ＩＳＯなどの国際規格に基づいて製作された場合、これら統一規格以外の国毎に用いられる単位に基づいた独自の規格のボルト或いはナットには使用できない場合があった。
また、その使用方法においても、ボルト及びナットの軸方向に対して、レンチを正確に垂直に宛がわせないと、セル棒が抜き差しできず、且つ、複数のセル棒の集合部の中心にボルト或いはナットの中心部を正確に宛がわないとセル棒が抜き差しできないという、使用する上での課題があった。
さらに、複数のセル棒が集合したレンチ部には開口部が存在しないため、ナットなど、その中心からネジ部が突出する場合には、セル棒が障害となり、使用できない問題もあった。
【０００９】
本発明の目的は、簡易な使用方法で、任意のサイズの被締結具の締緩に対応できる汎用性をもつレンチを提供することにある。
【課題を解決するための手段】
【００１０】
前記目的を達成するため、本発明に係るレンチは、外形が角形形状の被締結具の締緩に用いるレンチにおいて、前記被締結具を受容れる開口を備えた支持盤と、前記支持盤の開口に臨む前記被締結具の切り立った少なくとも２つの側面に宛がう少なくとも２個のレンチ駒と、を有し、前記レンチ駒は、前記支持盤の開口の周方向に添って配置され、支点を中心として前記開口の周方向で開閉するものであることを特徴とする。
【００１１】
前記複数のレンチ駒は、相互に同期して前記側面のそれぞれに対して前記開口の周方向で密着・離間する構成として構築することを特徴とする。
【００１２】
前記複数のレンチ駒は、開閉角度を一律にして相互に同期していることを特徴とする。
【００１３】
前記複数のレンチ駒は、前記被締結具の高さ方向にずらして配置しており、前記複数のレンチ駒は、前記被締結具の側面に異なる高さ位置に宛がうものであることを特徴とする。
【００１４】
前記複数のレンチ駒が前記被締結具の高さ方向にずれて重なる場合には、前記重なる一方のレンチ駒に突起を設け、他方のレンチ駒に前記突起を受容れるスロットを設けることを特徴とする。
【００１５】
前記レンチ駒の突起は、前記開閉の支点より前記レンチ駒の先端側にずれた位置に設けることを特徴とする。
【００１６】
前記開口が最大サイズの前記被締結具を受容れる口径をもつことによりフリーサイズレンチとして構成することを特徴とする。
【発明の効果】
【００１７】
以上のように本発明によれば、複数のレンチ駒を、被締結具を受容れる開口の周方向で開閉させて前記被締結具の側面に密着・離間させるため、前記レンチ駒が前記被締結具の切り立った側面に前記開口の周方向で密着した状態を保ったままで前記被締結具に締緩力を作用することができ、簡易な使用方法で任意のサイズの被締結具の締緩に対応できる汎用性をもつレンチを提供することができる。
【図面の簡単な説明】
【００１８】
【図１】本発明の実施形態に係るレンチの主要部を示す上面図である。
【図２】（ａ）は本発明の実施形態に係るレンチにおける支持盤とレンチ駒を枢支する軸とレンチ駒との関係を示す斜視図、（ｂ）は複数のレンチ駒を被締結具の高さ方向での取付位置をずらせて枢支軸に取付けた状態を示す斜視図である。
【図３】（ａ）は本発明の実施形態に係るレンチにおける支持盤とレンチ駒を枢支する枢支軸との関係を示す斜視図、（ｂ）は（ａ）のレンチ駒を歯車の組み合わせにより開閉させる機構を示す上面図である。
【図４】（ａ）は本発明の実施形態に係るレンチにおけるレンチ本体と握り棒との関係を示す斜視図、（ｂ）は（ａ）におけるレンチ本体を握り棒に固定する機構を示す上面図である。
【図５】（ａ）は本発明の実施形態に係るレンチにおけるレンチ駒の動きを説明する上面図、（ｂ）はレンチ駒の変更例を示す上面図である。
【図６】（ａ）は本発明の実施形態に係るレンチにおけるレンチ駒の変更例を示す斜視図、（ｂ）は（ａ）の変更例における上下方向に位置するレンチ駒の相互関係を示す上面図である。
【図７】（ａ）は本発明の実施形態に係るレンチの変更例を示す斜視図、（ｂ）は（ａ）に装備する操作駒の例を示す斜視図である。
【発明を実施するための最良の形態】
【００１９】
以下、本発明の実施形態を図に基づいて詳細に説明する。
本発明の実施形態に係るレンチは、ボルト或いはナットなどの被締結具の切り立った側面に当接するレンチ駒の開閉を開口の周方向で制御することにより、１種類の被締結具の締緩に使用可能なレンチとして構築できるばかりでなく、異なるサイズの被締結具の締緩に使用可能な可変型のレンチとしても構築することができる構造のものである。なお、被締結具としてのボルト或いはナットの外形形状は六角形に限られるものではなく、例えば四角形のものでもあってよいが、一般に六角形のボルト或いはナットが使用されそのボルト或いはナットの締緩にレンチが使用されているので、六角形のボルト或いはナットの締緩に使用する可変型のレンチを例にとって本発明の実施形態に係るレンチを説明する。
【００２０】
本発明の実施形態に係るレンチは外形が角形形状の被締結具の締緩に用いるレンチを対象とするものであり、図１に示すように基本的構成として、前記被締結具を受容れる開口１を備えた支持盤２と、前記支持盤２の前記開口１に臨む前記被締結具の切り立った少なくとも２つの側面４ａ，４ｂに宛がう少なくとも２個のレンチ駒３，３と、を有しており、前記レンチ駒３は、前記支持盤２の前記開口１の周方向５に添って配置され、支点３ａを中心として前記開口１の周方向５で開閉するものである。図１では、六角形の被締結具に対応させて６個のレンチ駒３を備えている場合を図示しているが、六角形の被締結具の場合であっても、その被締結具の対向する２つの側面４ａ，４ｂに対応させて２個のレンチ駒３，３を備えることにより、レンチとして機能するものである。
【００２１】
前記開口１は、異なるサイズの被締結具の締緩に使用する可変型レンチを対象としているため、そのサイズを、最大サイズの被締結具を受容れる口径のサイズに設定してある。
【００２２】
図１，図２（ａ）及び図３（ａ）に示すように、前記支持盤２は円盤状をなし、この円盤状の支持盤２を２枚備えており、これらの支持盤２を６本の枢支軸７で連結してレンチ本体６の軸方向（図３（ａ）の上下方向）に離間し且つこれらの支持盤２を前記レンチ本体６内に前記軸の廻りに回転するように配置している。
【００２３】
図１に示すように前記レンチ駒３は、前記開口１に臨む被締結具の側面（４ａ，４ｂ）に当接する面３ｂが直線状をなし、その反対側の面３ｃが円弧状に形成された半月形状を呈しており、その半月形状の一端側３ｄが前記支持盤２の枢支軸７に枢支してあり、前記レンチ駒３の他端側３ｅが自由端として前記枢支軸７を前記支点３ａとして前記支持盤２の周方向５で開閉するようになっている。前記枢支軸７は前記開口１の周方向に等間隔に配置されていることが望ましいものである。
【００２４】
図２（ａ）（ｂ）に示すように前記レンチ駒３は、相互干渉を回避するために被締結具の高さ方向（上下方向）に位置をずらして配置し、前記レンチ駒３の半月形状の一端側３ｄを前記枢支軸７に枢支している。
【００２５】
図２（ａ）は、枢支軸７の上段に枢支した１個のレンチ駒３と２枚の支持盤２との関係を示しており、図２（ｂ）は、前記開口１の周方向に添って配置した３個のレンチ駒３をそれぞれの枢支軸７に被締結具の高さ方向での取付位置をずらせて取付けた状態を示している。図２（ｂ）によれば、最初の１個のレンチ駒３は枢支軸７の上段に取付け、次の１個のレンチ駒３は枢支軸６の中段に取付け、さらに次の１個のレンチ駒３は枢支軸７の下段に取付けることにより、レンチ駒３同士の相互干渉を回避させている。
図２（ｂ）では、３個のレンチ駒３を取り上げてそれらの相互干渉を回避する場合を説明したが、図１に示す例では６個のレンチ駒３を備えているため、これらのレンチ駒３は前記開口１の周方向に向けて図２（ｂ）に示すようにそれぞれの枢支軸７に被締結具の高さ方向での取付位置をずらせて取付けている。
【００２６】
次に、前記レンチ駒３及び前記支持盤２を収容するレンチ本体６について説明する。図４図１，図３（ｂ），図４（ａ）（ｂ）に示すようにレンチ本体６は、円筒体の構造を呈しており、図１〜図３に示すように前記支持盤２は前記円筒体のレンチ本体（以下、単にレンチ本体という）６内に前記円筒体の軸（図２の上下方向）の廻りに回転するように配置している。なお、前記支持盤２は、前記レンチ本体６の円筒体内側に突き出して設けた図示しない支持リングで支えて回転可能に支持されている。前記図示しない前記支持リングには前記開口１が開口されている。
【００２７】
図３（ｂ），図４（ａ）に示すように前記レンチ本体６の側面の一部には周方向に添う遊び孔８を開口し、その遊び孔８を通してレンチの握り棒９の先端を、前記２枚の支持盤２，２を一体化する梁２ａに直結させ、前記握り棒９を前記レンチ本体６の周方向に回転或いは逆回転させることにより、前記支持盤２に時計方向或いは反時計方向にトルクを付与することにより前記支持盤２を前記レンチ本体６内で時計方向に回転或いは反時計方向に逆回転させるようになっている。なお、図において、前記支持盤２及び前記握り棒９は図示の関係で線図として表現しているが、実際は板厚があり、トルクに耐える構造に設定されている。
【００２８】
図４（ｂ）に示すように前記握り棒９にはストッパ９ａが前記レンチ本体６に向けて進退可能に設けられており、前記ストッパ９ａを前記レンチ本体６側に押し出して前記ストッパ９ａを前記レンチ本体６の固定孔６ａに嵌合させることにより、前記レンチ本体６を前記握り棒９に固定し、前記レンチ本体６の回転を規制するようになっている。
【００２９】
次に、前記半月形状のレンチ駒３を開閉する機構について説明する。図３（ｂ）に示すレンチ駒３の開閉機構は、複数のレンチ駒３を相互に同期して前記被締結具の側面のそれぞれに対して前記開口１の周方向で密着・離間するようになっている。前記複数のレンチ駒３は、開閉角度を一律にして相互に同期させることが望ましいものである。図３（ｂ）に示すレンチ駒３の開閉機構は歯車を利用した開閉機構として構築してある。具体的に説明すると、前記レンチ駒３を枢支している枢支軸７に平歯車１０を設け、前記レンチ本体６の内周側に内歯車１１を設け、前記平歯車１０を前記内歯車１１に噛合させており、前記レンチ本体６を時計方向１３或いは反時計方向１４に回転或いは逆回転させるのに伴って前記内歯車１１で前記平歯車１０を回転或いは逆回転させることにより、前記レンチ駒３を前記支持盤２の周方向５で開閉させるようになっている。
【００３０】
図３（ｂ）の例では、レンチ駒３の開閉機構として歯車を用いた構造を説明したが、これに限られるものではなく、レンチ駒３の開閉機構は、複数のレンチ駒３を相互に同期して前記被締結具の側面のそれぞれに対して前記開口１の周方向で密着・離間する構成であればいずれのものを用いてもよいものである。
【００３１】
図５（ａ）（ｂ）に示すように被締結具の外形形状が六角形である場合には、前記レンチ駒３の開閉角度は実線で示す位置から点線で示す位置の約３０度の範囲で開閉することにより、異なるサイズの被締結具の締緩に対応可能となる。この場合、図２（ｂ）に示すように上下に位置をずらして配置した前記一のレンチ駒３の円弧状面３ｃが前記他の枢支軸７と相互干渉を引き起こす可能性がある場合には、図５（ｂ）に示すように前記レンチ駒３の円弧状面３ｃに前記枢支軸７を受容れる逃げ１５を切り欠いて形成し、前記逃げ１５に前記枢支軸７を受容れることにより前記相互干渉により前記レンチ駒３の開閉が前記枢支軸７の存在により規制されるのを回避するようにしてもよいものである。
【００３２】
図２（ｂ）に示すように、前記レンチ駒３がその一端側３ｄが枢支軸７に枢支されているため、前記レンチ駒３で被締結具にトルクを付与する際、前記レンチ駒３を支持する箇所が前記枢支軸７の一カ所となる。図６（ａ）（ｂ）に示す例は、前記トルクに対する前記レンチ駒３の耐性を向上させた例を示している。
【００３３】
図１に示すように、前記レンチ駒３が前記開口１の周方向に配置されている場合、前記開口の周方向に隣接する前記レンチ駒３が被締結具の高さ方向に位置がずれた状態でその一部が重なる箇所がある。そこで、図６（ａ）（ｂ）に示すように、被締結具の高さ方向で上下に隣接する一方のレンチ駒３に隣接する他方のレンチ駒３に向けて突出する突起１６を設け、その隣接する他方のレンチ駒３に前記突起１６を受容れるスロット１７を開口して設けている。そして、前記一方のレンチ駒３の突起１６を隣接する他方のレンチ駒３のスロット１７に嵌合させている。
さらに、前記突起１６を設けるにあたっては、前記突起１６を前記レンチ駒３の一端側３ｄ（支点３ａ）から先端側（他端側３ｅ）に離した位置に設けることが望ましいものである。
【００３４】
図６の構成によれば、前記レンチ駒３は、その支点３ａ側が前記枢支軸７に支えられるとともに、その他端側３ｅにおいて前記突起１６が前記スロット１７に嵌合することにより支えられるため、前記トルクに対する前記レンチ駒３の耐性を向上させることができる。
【００３５】
さらに、隣接するレンチ駒３同士は、前記突起１６とこれを受容れる前記スロット１７との組み合わせに連携されているため、複数のレンチ駒３は相互に同期して開閉する場合に限って前記被締結具の側面のそれぞれに前記開口の周方向で密着・離間することができることになる。
【００３６】
図２（ａ）に示す実施形態では、握り棒９の操作に基づいて支持盤２を時計方向或いは反時計方向に回転或いは逆回転させることにより、レンチ駒３を支持盤２の周方向５で開閉するようにしたが、これに限られるものではない。
図７（ａ）に示すようにレンチ本体６の側面の一部に設けた遊び孔８内に操作駒１８を支持盤２の周方向に移動可能に設け、その操作駒１８を前記支持盤２に直結することにより、前記操作駒１８の操作に基づいて支持盤２を時計方向或いは反時計方向に回転或いは逆回転させることにより、レンチ駒３を支持盤２の周方向５で開閉するようにしてもよいものである。
前記操作駒１８は図７（ｂ）に示すように操作面に山形模様の滑り止め１７ａを付した構造のものであってもよく、さらには図７（ｃ）に示すようにレバー１７ｂを設けて操作しやすくしてもよいものである。
【００３７】
なお、以上の実施形態では、支持盤２を時計方向或いは反時計方向に回転或いは逆回転させることにより、前記複数のレンチ駒３を開閉するようにしたが、これに限られるものではない。前記枢支軸７を個々に同期させて時計方向或いは反時計方向に回転或いは逆回転させることにより、前記複数のレンチ駒３を開閉するようにしてもよいものである。
【００３８】
本発明の実施形態に係るレンチを用いて被締結具を締緩する動作について説明する。まず、レンチ本体６を反時計方向に逆回転させることにより、レンチ駒３を支持盤２の周方向で開き、レンチ本体６の開口１の口径サイズを対象とする被締結具を受容れるサイズに拡大する。この状態でレンチ本体６の開口１に被締結具の六角形の頭部を受容れる。
【００３９】
前記開口１に受け入れた被締結具が例えばＩＳＯなどの国際規格に基づく統一規格以外の例えば国毎に用いられる単位に基づいたボルト或いはナットである場合であっても、前記複数のレンチ駒３が開閉するものであるから、任意のサイズに対応して前記複数のレンチ駒３が被締結具の側面に当接し、任意のサイズの被締結具の締緩に対応することができる。
【００４０】
次に、レンチ本体６を時計方向に回転させることにより、レンチ駒３の直線状の面３ｂを被締結具の側面にそれぞれ宛がう。この状態において、被締結具を締め付ける際には、握り棒９を時計方向に回転させることにより支持盤２にトルクを付与すると、支持盤２が時計方向に回転するのに同期してレンチ駒３が被締結具の頭部に当接したまま時計方向に回転する。従って、被締結具の頭部には支持盤２及びレンチ駒３を介して時計方向へのトルクが加わり、締付力が作用し、被締結具が締め付けられる。
【００４１】
既に締め付けられた被締結具を緩める際には、握り棒９を反時計方向に逆回転させることにより、支持盤２に反時計方向へのトルクを付与すると、支持盤２が反時計方向に逆回転するのに同期してレンチ駒３が被締結具の頭部に当接したまま反時計方向に逆回転する。従って、被締結具の頭部には支持盤２及びレンチ駒３を介して反時計方向へのトルクが加わり、緩める力が作用し、被締結具が緩められる。
【００４２】
以上のように本発明の実施形態によれば、複数のレンチ駒を、被締結具を受容れる開口の周方向で開閉させて前記被締結具の側面に密着・離間させるため、前記レンチ駒が前記被締結具の切り立った側面に前記開口の周方向で密着した状態を保ったままで前記被締結具に締緩力を作用することができ、簡易な操作方法で任意のサイズの被締結具の締緩に対応できる汎用性をもつレンチを提供することができる。
【００４３】
さらに、複数のレンチ駒を、被締結具を受容れる開口の周方向で開閉させて前記被締結具の側面に密着・離間させるため、前記開口の中心に対して前記被締結具の中心が偏心していても、前記複数のレンチ駒が前記開口の周方向で閉じて前記被締結具の側面に当接するので、前記レンチ駒が閉じるのに従って前記偏心した前記被締結具の中心が前記開口の中心に向けて移動してそれらの中心を合致することができる。
これにより、前記開口の中心と前記被締結具の中心が合致した状態でレンチ本体から被締結具にトルクが正確に伝わり、前記トルクによる前記被締結具の損傷を回避することができる。
【００４４】
さらに、レンチ本体の開口に受け入れた被締結具が例えばＩＳＯなどの国際規格に基づく統一規格以外の例えば国毎に用いられる単位に基づいたボルト或いはナットである場合であっても、前記複数のレンチ駒が開閉するものであるため、任意のサイズに対応して前記複数のレンチ駒が被締結具の側面に当接し、任意のサイズの被締結具の締緩に対応することができる。
【００４５】
さらに、レンチ本体の開口に被締結具を受容れて複数のレンチ駒を開閉させて被締結具の側面に当接させる構造であるため、レンチ駒の開口の中心と被締結具の中心との位置合わせを正確に行う必要がなく、作業性を向上させることができる。
【００４６】
さらに、前記レンチ駒は前記被締結具の切り立った少なくとも２つの側面に当接するため、前記開口の周方向に回転或いは逆回転された場合にも、前記レンチ駒により前記被締結具の側面に確実に締緩力を伝えることができる。
【００４７】
さらに、前記開口を最大サイズの前記被締結具を受容れる口径に設定することにより、前記レンチ駒が前記開口の周方向で開閉することと相まって、異なるサイズの被締結具の締緩に共通に用いることができることになる。
【００４８】
さらに、前記レンチ駒を、前記被締結具の高さ方向にずれた位置で前記被締結具の側面にそれぞれ宛がう構成として構築することにより、前記レンチ駒同士が相互干渉することなく、前記被締結具に締緩力を伝達することができる。
【産業上の利用可能性】
【００４９】
本発明によれば、レンチ本体の開口に受け入れた被締結具が例えばＩＳＯなどの国際規格に基づく統一規格以外の例えば国毎に用いられる単位に基づいたボルト或いはナットである場合であっても、通常のレンチのような簡易な操作で、任意のサイズの被締結具の締緩に対応でき、産業上の利用可能性が大である。
【００５０】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００５１】
１  開口
２  支持盤
３  レンチ駒
３ａ  レンチ駒の支点
４ａ，４ｂ  被締結具の側面
５  開口の周方向
６  レンチ本体
７  枢支軸
８  遊び孔
９  握り棒
１０  平歯車
１１  内歯車
【図１】
2015127083.tif 000003
【図２】
2015127083.tif 000004
【図３】
2015127083.tif 000005
【図４】
2015127083.tif 000006
【図５】
2015127083.tif 000007
【図６】
2015127083.tif 000008
【図７】
2015127083.tif 000009